(57)【要約】【課題】ガラスフィルムと保護フィルムとからなるガラスロールの巻きズレや巻き締りを抑止する。【解決手段】ガラスフィルム２と保護フィルム３とが重ねられてロール状に巻かれたガラスロール１であって、保護フィルム３の両面が粘着面３ａ、３ｂである。そして、保護フィルム３の両粘着面３ａ、３ｂのうち相対的に粘着力が小さい方の粘着面（微粘着面）３ａが、ガラスフィルム２の両面２ａ、２ｂのうち保証面２ａに接触している。【選択図】図１
2017043366.tif 000002
【特許請求の範囲】
【請求項１】
ガラスフィルムが保護フィルムに重ねられてロール状に巻かれたガラスロールにおいて、
前記保護フィルムの両面に粘着面を有することを特徴とするガラスロール。
【請求項２】
前記保護フィルムの両粘着面は、一方の粘着面と他方の粘着面とで粘着力の大きさが異なることを特徴とする請求項１に記載のガラスロール。
【請求項３】
前記保護フィルムの両粘着面は、一方の粘着面の粘着力が０．００１〜１Ｎ／２５ｍｍであり、他方の粘着面の粘着力が０．００５〜１．５Ｎ／２５ｍｍであることを特徴とする請求項１または２に記載のガラスロール。
【請求項４】
前記保護フィルムの両粘着面のうち相対的に粘着力が小さい方の粘着面が、前記ガラスフィルムの両面のうち保証面に接触していることを特徴とする請求項１〜３の何れかに記載のガラスロール。
【請求項５】
ガラスフィルムを保護フィルムに重ねてロール状に巻き取るガラスロールの製造方法において、
前記保護フィルムとして、両面に粘着面を有する保護フィルムを用いることを特徴とするガラスロールの製造方法。
【請求項６】
前記保護フィルムの両粘着面は、一方の粘着面と他方の粘着面とで粘着力の大きさが異なり、相対的に粘着力が小さい方の粘着面が、前記ガラスフィルムの両面のうち保証面に接触してロール状に巻き取られることを特徴とする請求項５に記載のガラスロールの製造方法。
【請求項７】
前記保護フィルムの両粘着面は、一方の粘着面と他方の粘着面とで粘着力の大きさが異なり、相対的に粘着力が小さい方の粘着面が、前記保護フィルムを前記ガラスフィルムとの重ね合わせ位置に案内するローラに接触することを特徴とする請求項５または６に記載のガラスロールの製造方法。
【請求項８】
請求項１〜４の何れかに記載のガラスロールからガラスフィルムを巻き外す方法であって、前記ガラスフィルムの両面のうち保証面が露出し且つその反対側の面に前記保護フィルムが貼り付いた状態で、前記ガラスフィルムが巻き外されていくことを特徴とするガラスロールの巻き外し方法。
【発明の詳細な説明】
【技術分野】
【０００１】
本発明は、ガラスフィルムを保護フィルムに重ねてロール状に巻き取ったガラスロール及びそのガラスロールの製造方法並びにそのガラスロールの巻き外し方法に関する。
【背景技術】
【０００２】
周知のように、液晶ディスプレイや有機ＥＬディスプレイなどの薄型表示機器、さらには近年急速に普及しているスマートフォンやタブレット型ＰＣなどのモバイル機器は、軽量であることが要求される。そのため、これらの機器に採用されるガラス基板としては、フィルム状に薄板化されたガラスフィルムが使用されつつある。このガラスフィルムは、最終製品の段階では、略矩形状等の形態をなすが、それ以前の製造工程や各種処理工程などの段階では、帯状の形態をなすものとして取り扱われている。
【０００３】
この種のガラスフィルムは、適切な可撓性を有することから、保管時や輸送時等の利便性を考慮して、巻芯等の廻りにロール状に巻き取ったガラスロールの形態とすることが通例となっている。したがって、ガラスフィルムをガラスロールの形態としておけば、保管性等に優れるだけでなく、略矩形状等のガラスフィルムを多数枚に亘って切り出すことも容易に行い得る。
【０００４】
その一方で、この種のガラスフィルムは、機械的強度が低く、損傷や破損等が生じ易いため、そのままでの取り扱いには注意を要する。すなわち、ガラスフィルムをロール状に巻き取ってガラスロールを製作した場合には、巻き取られたガラスフィルム同士が接触して、傷が付く等の損傷が生じ得る。そこで、ガラスフィルムを、樹脂等からなる保護フィルム（帯状の保護フィルム）に重ねた状態で、ロール状に巻き取ってガラスロールを製作することが広汎に亘って行われている。
【０００５】
その一例として、特許文献１には、ガラスフィルムの少なくとも一方の面に、保護フィルムの表面を貼り付けた状態で、巻芯の廻りにロール状に巻き取ったガラスロールが開示されている。したがって、このガラスロールは、保護フィルムの裏面とガラスフィルムの他方の面とが非貼り付け状態で接触しているか、或いは保護フィルムの裏面同士が非貼り付け状態で接触していることになる。
【先行技術文献】
【特許文献】
【０００６】
【特許文献１】特開２０１３−７８９２５号公報
【発明の概要】
【発明が解決しようとする課題】
【０００７】
しかしながら、特許文献１に開示されたガラスロールのように、ガラスフィルムと保護フィルムまたは保護フィルム同士が、非貼り付け状態で接触していると、その接触部に滑り或いは摺動等が生じ得る。
【０００８】
そのため、ガラスロールの製造過程、すなわち成形したガラスフィルムを搬送しつつ巻き取る過程や、ロールｔｏロール方式によってガラスフィルムを搬送しつつ巻き取る過程において、巻きズレや巻き締りが発生し、安定した巻き取りに支障が生じ得る。
【０００９】
詳述すると、巻きズレは、ガラスフィルムを巻き取る際に、ガラスフィルム及び保護フィルムが幅方向（巻芯等の軸心と平行な方向）に滑ることによって生じる。また、巻き締りは、ロール状のガラスフィルム及び保護フィルムの径が大きくなるに連れて、外径側のガラスフィルム及び保護フィルムの張力が内径側のそれよりも大きくなること等に起因して、ガラスフィルム及び保護フィルムが幅方向と直交する長手方向に滑ることによって生じる。
【００１０】
そして、これらが原因となって、ガラスロールの品位低下を招くだけでなく、ガラスロールからガラスフィルムを巻き外していく過程においても、巻き外し搬送経路上等で、ガラスフィルムに蛇行やシワが発生する等の弊害が生じ得る。
【００１１】
以上の観点から、本発明の課題は、ガラスロールの巻きズレや巻き締りを抑止することである。
【課題を解決するための手段】
【００１２】
上記課題を解決するために創案された本発明は、ガラスフィルムが保護フィルムに重ねられてロール状に巻かれたガラスロールにおいて、保護フィルムの両面に粘着面を有することに特徴づけられる。
【００１３】
このような構成によれば、ガラスフィルムと保護フィルムとの接触部は、いずれの接触部においても粘着面による貼り付けが行われている。したがって、両者の全ての接触部において、幅方向及びこれと直交する長手方向のいずれの方向に対しても滑りや摺動等が生じ難いため、巻きズレや巻き締りが抑止される。その結果、品位の高いガラスロールが得られるだけでなく、ガラスロールからガラスフィルムを巻き外していく際にも、巻き外し搬送経路上等で、ガラスフィルムに蛇行やシワが発生する等の弊害が生じ難くなる。なお、保護フィルムは、両面の全部が粘着面である必要はなく、ガラスフィルムとの接触部に滑りや摺動等を生じ難くできるのであれば、両面または片面の一部のみが粘着面であってもよい。
【００１４】
上記の構成において、保護フィルムの両粘着面は、一方の粘着面と他方の粘着面とで粘着力の大きさが異なることが好ましい。
【００１５】
このようにすれば、ガラスフィルムの一方の面と他方の面とでは、保護フィルムを剥離させ易い度合いが異なる。したがって、ガラスロールからガラスフィルム及び保護フィルムを巻き外す場合には、先ず剥離させ易い方の保護フィルムの粘着面をガラスフィルムから剥離させ、剥離させ難い方の保護フィルムの粘着面をガラスフィルムに貼り付けた状態として作業を進めることができる。その結果、ガラスロールからのガラスフィルムの巻き外し作業などが、効率良く且つ適正に行われ得る。
【００１６】
上記の構成において、保護フィルムの両粘着面は、一方の粘着面の粘着力が０．００１〜１Ｎ／２５ｍｍであり、他方の粘着面の粘着力が０．００５〜１．５Ｎ／２５ｍｍであることが好ましい。なお、粘着力の値は、保護フィルムとガラスフィルムとを貼り合わせて引張試験機を用いて剥離強さを測定したものであって、ＪＩＳ  Ｚ０２３７に準拠した方法で測定した値を指す。
【００１７】
このようにすれば、不当な巻きズレや巻き締りを十分に回避し得る粘着力が確保できるだけでなく、ガラスフィルムからの保護フィルムの剥離作業を容易に行い得る粘着力を得ることもできる。
【００１８】
以上の構成において、保護フィルムの両粘着面のうち相対的に粘着力が小さい方の粘着面が、ガラスフィルムの両面のうち保証面に接触していることが好ましい。ここで、「保証面」とは、成膜処理などが施される製品側の面であって面性状が保証されるべき面を意味する。
【００１９】
このようにすれば、ガラスロールからガラスフィルム及び保護フィルムを巻き外す場合に、先ず保護フィルムにおける粘着力が小さい方の粘着面を、ガラスフィルムから剥離させて、ガラスフィルムの保証面を露出させることができる。この時点では、保護フィルムにおける粘着力が大きい方の粘着面は、ガラスフィルムに依然として貼り付けられた状態にしておくことができる。したがって、このような状態で、ガラスロールから巻き外したガラスフィルム及び保護フィルムを、ロールｔｏロール方式などで搬送すれば、搬送しながらガラスフィルムの保証面に成膜処理や洗浄処理などの製品関連処理を施すことができ、極めて好都合となる。
【００２０】
また、上記課題を解決するために創案された本発明に係る方法は、ガラスフィルムを保護フィルムに重ねてロール状に巻き取るガラスロールの製造方法において、保護フィルムとして、両面に粘着面を有する保護フィルムを用いることに特徴づけられる。
【００２１】
この方法に係る発明は、既に述べた対応するガラスロールに係る発明と実質的に構成が同一であるため、作用効果も実質的に同一である。したがって、この方法に係る発明についての作用効果の説明は、ここでは省略する。
【００２２】
上記の方法において、保護フィルムの両粘着面は、一方の粘着面と他方の粘着面とで粘着力の大きさが異なり、相対的に粘着力が小さい方の粘着面が、ガラスフィルムの両面のうち保証面に接触してロール状に巻き取られることが好ましい。
【００２３】
この方法に係る発明についての作用効果の説明も、上記と同様の理由によって、ここでは省略する。
【００２４】
以上の方法において、保護フィルムの両粘着面は、一方の粘着面と他方の粘着面とで粘着力の大きさが異なり、相対的に粘着力が小さい方の粘着面が、保護フィルムをガラスフィルムとの重ね合わせ位置に案内するローラに接触することが好ましい。
【００２５】
このようにすれば、ガラスロールの製造過程において、ローラに接触する保護フィルムの粘着面の粘着力が過度に大きいことによるローラの機能阻害、すなわちローラが保護フィルムを適正に案内できなくなる等の機能阻害が生じ難くなる。ここで、「ガラスロールの製造過程」とは、成形したガラスフィルムを搬送しつつ巻き取る過程や、ロールｔｏロール方式（ガラスロールからガラスフィルムを巻き外して所定の処理などを施しながら、そのガラスフィルムを再びガラスロールとして巻き取る方式）によってガラスフィルムを搬送しつつ巻き取る過程などを意味する。
【００２６】
また、本発明に係る既述のガラスロールは、以下に示すような方法の発明をも導き出し得る。
【００２７】
すなわち、ガラスロールからガラスフィルムを巻き外す方法であって、ガラスフィルムの両面のうち保証面が露出し且つその反対側の面に保護フィルムが貼り付いた状態で、ガラスフィルムが巻き外されていくようにすることである。
【発明の効果】
【００２８】
本発明によれば、巻きズレや巻き締りが抑止されたガラスロールを得ることができる。
【図面の簡単な説明】
【００２９】
【図１】本発明の第１実施形態に係るガラスロールの要部の構成を示す概略斜視図である。
【図２】本発明の第１実施形態に係るガラスロールの全体の構成を模式的に示す断面図であって、当該ガラスロールを巻芯の軸方向と直交する方向に沿って切断した縦断面図である。
【図３】本発明の第１実施形態に係るガラスロールの製造方法の一例の実施状況を示す概略正面図である。
【図４】本発明の第１実施形態に係るガラスロールの使用態様の一例を示す概略正面図である。
【図５】本発明の第１実施形態に係るガラスロールの巻き外し方法の一例の実施状況を模式的に示す断面図であって、当該ガラスロールを巻芯の軸方向と直交する方向に沿って切断した縦断面図である。
【図６】本発明の第１実施形態に係るガラスロールの使用態様の他の例を示す概略正面図である。
【図７】本発明の第２実施形態に係るガラスロールの要部の構成を示す概略斜視図である。
【図８】本発明の第２実施形態に係るガラスロールの全体の構成を模式的に示す断面図であって、当該ガラスロールを巻芯の軸方向と直交する方向に沿って切断した縦断面図である。
【図９】本発明の第２実施形態に係るガラスロールの製造方法の一例の実施状況を示す要部概略正面図である。
【図１０】本発明の第２実施形態に係るガラスロールの巻き外し方法の一例の実施状況を模式的に示す断面図であって、当該ガラスロールを巻芯の軸方向と直交する方向に沿って切断した縦断面図である。
【発明を実施するための形態】
【００３０】
以下、本発明の実施形態に係るガラスロール及びその製造方法並びにその巻き外し方法について添付図面を参照して説明する。
【００３１】
図１は、本発明の第１実施形態に係るガラスロール１の要部の構成を示す概略斜視図である。同図に示すように、ガラスロール１は、帯状のガラスフィルム２が帯状の保護フィルム３に重ねられた状態で、巻芯４の廻りにロール状に巻かれたものである。保護フィルム３は、内周面３ａと外周面３ｂとの両面が粘着面とされている。この保護フィルム３の内周面３ａと外周面３ｂとでは、粘着力の大きさが異なっている。
【００３２】
本実施形態では、保護フィルム３の内周面３ａの方が外周面３ｂよりも粘着力が小さくなっている。詳述すると、この保護フィルム３は、ガラスフィルム２の外周面（以下、保証面ともいう）２ａと接触する内周面３ａの粘着力の方が、ガラスフィルム２の内周面（以下、非保証面ともいう）２ｂと接触する外周面３ｂの粘着力よりも小さくされている。なお、ガラスフィルム２の保証面２ａは、成膜処理などが施される製品側の面であって面性状が保証されるべき面であるのに対して、ガラスフィルム２の非保証面２ｂは、保証面２ａの程度にまで面性状が保証されなくてもよい面である。
【００３３】
具体的には、保護フィルム３の内周面３ａにおける粘着力の値は、０．００１〜１．５Ｎ／２５ｍｍであり、好ましくは０．００１〜１Ｎ／２５ｍｍ、より好ましくは０．００５〜０．５Ｎ／２５ｍｍ、最も好ましくは０．０１〜０．１Ｎ／２５ｍｍである。また、保護フィルム３の外周面３ｂにおける粘着力の値は、０．００１〜１．５Ｎ／２５ｍｍであり、好ましくは０．００５〜１．５Ｎ／２５ｍｍ、より好ましくは０．０１〜１Ｎ／２５ｍｍ、最も好ましくは０．０５〜０．５Ｎ／２５ｍｍである。したがって、保護フィルム３の両粘着面３ａ、３ｂの粘着力は、剥離作業の容易化等の観点から何れも小さい。この事を考慮して、以下の説明においては、保護フィルム３の外周面３ｂすなわち相対的に粘着力が大きい方の面を弱粘着面といい、保護フィルム３の内周面３ａすなわち相対的に粘着力が小さい方の面を微粘着面という。
【００３４】
したがって、保護フィルム３の微粘着面３ａが、ガラスフィルム２の保証面２ａに接触して貼り付き、保護フィルム３の弱粘着面３ｂが、ガラスフィルム２の非保証面２ｂに接触して貼り付いている。また、詳細は後述するが、保護フィルム３の微粘着面３ａは、ガラスロール１の製造過程で、保護フィルム３を、ガラスフィルム２との重ね合わせ位置に案内するローラ５に接触していた面である。したがって、保護フィルム３の弱粘着面３ｂは、そのようなローラ５とは接触していなかった面である。
【００３５】
ここで、ガラスフィルム２は、オーバーフローダウンドロー法に代表されるダウンドロー法やフロート法によって成形され、厚みが３００μｍ以下、２００μｍ以下、１００μｍ以下または５０μｍ以下であって、且つ、１μｍ以上、５μｍ以上または１０μｍ以上の薄肉ガラスリボンである。また、ガラスフィルム２の幅方向（巻芯４の軸心と平行な方向）の長さは、１００ｍｍ以上、３００ｍｍ以上または５００ｍｍ以上である。
【００３６】
一方、保護フィルム３の厚みは、１０００μｍ以下または５００μｍ以下であって、且つ、１０μｍ以上または２０μｍ以上である。また、保護フィルム３の幅方向の長さは、図示例では、ガラスフィルム２の幅方向の長さよりも短くされて、ガラスフィルム２の幅方向両端部２ｘが保護フィルム３の幅方向両端部３ｘから食み出している。このようにすれば、保護フィルム３の両粘着面３ａ、３ｂが露出することによる両粘着面３ａ、３ｂへの異物の付着等が生じ難くなる。この場合、ガラスフィルム２の端面を保護する観点から、保護フィルム３の幅方向両端部３ｘがガラスフィルム２の幅方向両端部２ｘから食み出していてもよく、或いは保護フィルム３の幅方向両端部３ｘとガラスフィルム２の幅方向両端部２ｘとが揃っていてもよい。
【００３７】
また、保護フィルム３としては、例えば、アイオノマーフィルム、ポリエチレンフィルム、ポリプロピレンフィルム、ポリ塩化ビニルフィルム、ポリ塩化ビニリデンフィルム、ポリビニルアルコールフィルム、ポリエステルフィルム、ポリカーボネートフィルム、ポリスチレンフィルム、ポリアクリロニトリルフィルム、エチレン酢酸ビニル共重合体フィルム、エチレン−ビニルアルコール共重合体フィルム、エチレン−メタクリル酸共重合体フィルム、ナイロン(登録商標)フィルム（ポリアミドフィルム）、ポリイミドフィルム、セロファンなどの有機樹脂フィルム（合成樹脂フィルム）などを使用することができる。以上列挙した使用可能なフィルムの両面の粘着力を、上記所定の粘着力とすることで、本実施形態のガラスロール１に用いられる保護フィルム３を得ることができる。
【００３８】
図２は、巻き取りが完了したガラスロール１を模式的に示す断面図（巻芯４の軸心と直交する断面図）である。なお、同図において、ガラスフィルム２にはハッチングを付しておらず、保護フィルム３には平行斜線からなるハッチングを付している。また、同図において、クロスハッチングを付した部材は、樹脂等で形成された可撓性を有するテープ状のリーダー６、７である。これらのリーダー６、７は何れも、両面が粘着性を有していない。
【００３９】
同図に示すように、ガラスフィルム２の巻き始め側への延長線上には、巻始側リーダー６が配置されると共に、ガラスフィルム２の巻き終わり側への延長線上には、巻終側リーダー７が配置される。巻始側リーダー６は、その始端６ｙが巻芯４に貼着等で固定され、その終端６ｚがガラスフィルム２の始端２ｙに連結されている。巻終側リーダー７は、その始端７ｙがガラスフィルム２の終端２ｚに連結され、その終端７ｚがロールｔｏロール方式を採用した場合に他のガラスロールの巻芯に貼着等で固定されるべき部位である。
【００４０】
保護フィルム３と巻始側リーダー６との詳細な配置状態は、次に示す通りである。すなわち、保護フィルム３の始端３ｙと巻始側リーダー６の始端６ｙとは略揃った状態にある。この場合、巻始側リーダー６の巻き始め部位における内周面６ａは、巻芯４の外周面４ｂに接触している。そして、保護フィルム３の内周面である微粘着面３ａは、巻始側リーダー６の外周面６ｂの略全長に接触して貼り付いている。また、保護フィルム３の外周面である弱粘着面３ｂは、巻始側リーダー６の内周面６ａの一部（最内周の一周り分を除く一部）に接触して貼り付いている。
【００４１】
保護フィルム３とガラスフィルム２との詳細な配置状態は、次に示す通りである。すなわち、保護フィルム３の内周面である微粘着面３ａは、ガラスフィルム２の外周面である保証面２ａの全長に接触して貼り付いている。また、保護フィルム３の外周面である弱粘着面３ｂは、ガラスフィルム２の内周面である非保証面２ｂの全長に接触して貼り付いている。したがって、ガラスフィルム２の両面２ａ、２ｂは何れも、全長に亘って保護フィルム３の両粘着面３ａ、３ｂにそれぞれ接触して貼り付いている。
【００４２】
保護フィルム３と巻終側リーダー７との詳細な配置状態は、次に示す通りである。すなわち、巻終側リーダー７の終端７ｚは、保護フィルム３の終端３ｚと略揃った状態にある。この場合、巻終側リーダー７の巻き終わり部位における外周面７ｂは、ガラスロール１の最外周面の全長に亘って位置している。そして、保護フィルム３の外周面である弱粘着面３ｂは、巻終側リーダー７の内周面７ａの略全長に接触して貼り付いている。また、保護フィルム３の内周面である微粘着面３ａは、巻終側リーダー７の外周面７ｂの一部（最外周の一周り分を除く一部）に接触して貼り付いている。この場合、保護フィルム３の外周面である弱粘着面３ｂが露出することによる異物等の付着を防止する観点から、巻終側リーダー７の終端７ｚは、保護フィルム３の終端３ｚから食み出していることが好ましい。
【００４３】
次に、以上のような構成を備えた本発明の第１実施形態に係るガラスロール１の製造方法を説明する。
【００４４】
図３に示すように、このガラスロール１の製造方法は、成形工程と、切断工程と、巻き取り工程とを含む。成形工程は、本実施形態では、オーバーフローダウンドロー法を実行する成形装置８により行われる。この成形装置８は、上方から順に、成形ゾーン９、徐冷ゾーン１０、及び冷却ゾーン１１を有する。なお、成形装置８は、スロットダウンドロー法やリドロー法などの他のダウンドロー法を実行するものであってもよく、さらにはフロート法を実行するものであってもよい。
【００４５】
成形ゾーン９では、成形体１２の頂部から両側方に溢れ出た溶融ガラスＧ１をその下端部で融合させて流下させることで、溶融ガラスＧ１から板状のガラスフィルムＧ２を成形する。この成形されたガラスフィルムＧ２は、徐冷ゾーン１０で除歪され、冷却ゾーン１１で室温付近まで冷却される。徐冷ゾーン１０と冷却ゾーン１１とには、複数のローラ群１３が配置され、これらローラ群１３によってガラスフィルムＧ２の幅方向両端部が下方側に案内される。
【００４６】
成形工程で成形されたガラスフィルムＧ２は、成形装置８の下方位置でガラスフィルムＧ２を下方から支持する複数の方向変換ローラ群１４によって略水平方向に湾曲された後、その姿勢を維持したまま切断工程に送られる。なお、方向変換ローラ群１４は、成形装置８がフロート法を実行するものである場合には適用されない。
【００４７】
切断工程では、ガラスフィルムＧ２の幅方向両端部に形成された非有効部（耳部）Ｇｘを切断装置１５によって切断除去する。この非有効部Ｇｘは、ガラスフィルムＧ２の幅方向中央部の有効部Ｇｙに比して相対的に厚肉である。
【００４８】
切断装置１５は、ガラスフィルムＧ２を略水平姿勢で下流側に搬送する搬送手段１６と、この搬送手段１６上に載置されたガラスフィルムＧ２にレーザービームＬを照射して局部加熱を施す局部加熱手段１７と、冷媒Ｗを噴射する冷却手段１８とを備える。そして、搬送手段１６でガラスフィルムＧ２を下流側に送りつつ、ガラスフィルムＧ２に局部加熱による膨張と冷媒の冷却による収縮とで熱応力を生じさせ、ガラスフィルムＧ２の非有効部Ｇｘをレーザー割断により除去する。この後、ガラスフィルムＧ２の有効部Ｇｙは、巻き取り工程に送られる。
【００４９】
巻き取り工程では、フィルムロール１９から連続的に巻き外される保護フィルム３を、ガラスフィルム（詳しくは、有効部）Ｇｙ（２）の外周面に重ねながら、巻芯４の廻りに巻き取ることで、ガラスロール１の製造を進行させる。この場合、フィルムロール１９から巻き外された保護フィルム３は、ローラ（フリーローラ）５によってガラスフィルム２との重ね合わせ位置２０に案内される。なお、本実施形態では、ローラ５は、保護フィルム３に張力を付与するテンションローラとしての役割も兼ねる。
【００５０】
この場合、巻き取り途中のガラスロール１は、ガラスフィルム２の保証面２ａが最外周面となり、この最外周面に、保護フィルム３の微粘着面３ａが接触しつつ巻き取りが進行する。そして、ローラ（その外周面）５には、保護フィルム３の微粘着面３ａが接触しつつ、保護フィルム３がガラスフィルム２との重ね合わせ位置２０に送られる。さらに、保護フィルム３の弱粘着面３ｂは、ガラスフィルム２の非保証面２ｂに接触しつつ巻き取りが進行する。なお、ガラスフィルム２の巻き取り時に、保護フィルム３の弱粘着面３ｂがローラ５と接触することはない。
【００５１】
この場合、図示の状態では、巻始側リーダー６は、巻芯４の廻りに既に巻き取られている。また、巻終側リーダー７は、ガラスフィルム２の巻き取り長さが所定長さになり、ガラスフィルム２が幅方向に沿って切断された後に、ガラスフィルム２の終端（切断部）に連結される。そして、ガラスフィルム２に連結された巻終側リーダー７も、継続して保護フィルム３に重ねられて巻き取られる。
【００５２】
以上のような方法が実施されることによって、図２に示すようなガラスロール１が得られる。このガラスロール１は、保護フィルム３の両面がそれぞれ微粘着面３ａ及び弱粘着面３ｂとされているため、上記の巻き取り工程での巻き取り時に、巻きズレや巻き締りが抑止されている。したがって、このガラスロール１の径を大きくしても、支障が生じ難くなる
【００５３】
図４は、このガラスロール１の使用態様の一例を示す概略正面図である。同図に示すように、この使用態様の一例は、ロールｔｏロール方式で、このガラスロール１から巻き外したガラスフィルム２（保護フィルム３が貼り付いている）に、搬送手段２１上で製品関連処理を施し、処理後のガラスフィルム２を再び巻き取って、製品となる新たなガラスロール２２を得るものである。ここでの製品関連処理は、再度のレーザー割断による幅方向の長さ調整処理、洗浄処理、成膜処理などである。
【００５４】
このガラスロール１からガラスフィルム２を巻き外す際には、図５に示すように、ガラスフィルム２の保証面２ａが上面となって露出した状態になるのに対して、ガラスフィルム２の非保証面２ｂは下面となって保護フィルム３が貼り付いた状態になる。換言すれば、保護フィルム３の微粘着面３ａがガラスフィルム２から剥離しているのに対して、保護フィルム３の弱粘着面３ｂは依然としてガラスフィルム２に貼り付いている状態になる。そして、保護フィルム３の微粘着面３ａは、弱粘着面３ｂよりも粘着力が小さいため、ガラスロール１からガラスフィルム２を容易に巻き外すことができると同時に、巻き外した後のガラスフィルム２に保護フィルム３を確実に貼り付けておくことができる。しかも、搬送手段２１と接触するのは、保護フィルム３の微粘着面３ａである。ここで、図５に基づく上述の説明事項は、ガラスロール１の巻き外し方法として捉えることができる。
【００５５】
以上の事情によって、ガラスロール１からガラスフィルム２を巻き外す際にも、そのガラスロール１の巻きズレや巻き締りが抑止されているため、巻き外されたガラスフィルム２が搬送手段２１上を搬送される過程で、蛇行やシワ等が生じ難くなる。加えて、保護フィルム３は、微粘着面３ａが搬送手段２１と接触しつつ搬送されるため、その搬送が著しく阻害されることはない。以上の結果、ガラスフィルム２に適正な製品関連処理が施されるだけでなく、製品となる新たなガラスロール２２にも巻きズレや巻き締りが生じ難くなり、製品となる新たなガラスロール２２の高品位化が図られる。
【００５６】
図６は、このガラスロール１の使用態様の他の例を示す概略正面図である。この図６に示す使用態様が、上述の図４に示す使用態様と相違する第一の点は、ロールｔｏロール方式によって、このガラスロール１から巻き外したガラスフィルム２に搬送手段２３上で製品関連処理を施した後において、ガラスフィルム２から保護フィルム３を剥離させる点である。また、相違する第二の点は、製品関連処理後のガラスフィルム２を再び巻き取って製品となる新たなガラスロール２４を製造する際において、両面が粘着面とされていない保護シート２５をガラスフィルム２に重ねて巻き取る点とである。
【００５７】
詳しくは、同図に示すように、ガラスフィルム２の搬送経路上には、新たなガラスロール２４の巻き取り位置と搬送手段２３との間にローラ２６が配設され、保護フィルム３がこのローラ２６によって方向変換されることで、ガラスフィルム２から保護フィルム３が剥離する。そして、この剥離した保護フィルム３は、フィルムロール２７として巻き取られていく。一方、保護フィルム３が剥離した後のガラスフィルム２は、その外周面側に、シートロール２８から巻き外された保護シート２５が重ねられてロール状に巻き取られることで、製品となる新たなガラスロール２４が製造される。
【００５８】
この使用態様の他の例においても、ガラスロール１からガラスフィルム２を巻き外す際には、既述の図５に示す態様となる。
【００５９】
図７は、本発明の第２実施形態に係るガラスロール１の要部の構成を示す概略斜視図であり、図８は、巻き取りが完了したそのガラスロール１を模式的に示す断面図である。これら各図に示すように、この第２実施形態に係るガラスロール１が、上述の第１実施形態に係るガラスロール１と相違しているところは、ガラスフィルム２と保護フィルム３との巻き取り方向が逆になっている点である。したがって、以下の説明に際しては、その相違点に由来する説明のみに留め、両実施形態に共通する構成要素については同一符号を使用して、その詳細な説明を省略する。
【００６０】
図７及び図８に示すように、保護フィルム３の外周面である微粘着面３ａは、ガラスフィルム２の内周面である保証面２ａに接触して貼り付いており、保護フィルム３の内周面である弱粘着面３ｂは、ガラスフィルム２の外周面である非保証面２ｂに接触して貼り付いている。また、保護フィルム３の外周面である微粘着面３ａは、巻始側リーダー６の内周面６ａの一部（最内周の一周り分を除く一部）に接触して貼り付いており、保護フィルム３の内周面である弱粘着面３ｂは、巻始側リーダー６の外周面６ｂの略全長に接触して貼り付いている。さらに、保護フィルム３の外周面である微粘着面３ａは、巻終側リーダー７の内周面７ａの略全長に接触して貼り付いており、保護フィルム３の内周面である弱粘着面３ｂは、巻終側リーダー７の外周面７ｂの一部（最外周の一周り分を除く一部）に接触して貼り付いている。なお、保護フィルム３の外周面である微粘着面３ａが露出することによる異物等の付着を防止する観点から、巻終側リーダー７の終端７ｚは、保護フィルム３の終端３ｚから食み出していることが好ましい。
【００６１】
図９は、この第２実施形態に係るガラスロール１の製造方法を説明するための概略図であって、巻き取り工程の実施状況のみを例示している。なお、成形工程及び切断工程については、第１実施形態で既に説明した事項と同一であるので、ここではそれらの図示及び説明を省略する。
【００６２】
同図に示すように、この巻き取り工程では、フィルムロール１９から連続的に巻き外される保護フィルム３を、ガラスフィルム（詳しくは、有効部）Ｇｙ（２）の外周面２ｂに重ねながら、巻芯４の廻りに巻き取るが、巻き取り方向（巻芯４の回転方向）が、第１実施形態とは逆方向になる。そのため、巻き取り途中のガラスロール１は、ガラスフィルム２の非保証面２ｂが最外周面となり、この最外周面に、保護フィルム３の弱粘着面３ｂが接触しつつ巻き取りが進行する。なお、ローラ５に保護フィルム３の微粘着面３ａが接触する点については、第１実施形態と同様である。
【００６３】
この第２実施形態に係るガラスロール１も、既に図４及び図６に示した態様と実質的に同一の態様で使用することができる。その場合に、このガラスロール１からガラスフィルム２を巻き外す際には、図１０に示すような態様となる。すなわち、第１実施形態に係るガラスロール１の場合には、ガラスロール１の上部からガラスフィルム２が巻き外されていたが、この第２実施形態に係るガラスロール１の場合には、ガラスロール１の下部からガラスフィルム２が巻き外される。そして、巻き外されたガラスフィルム２は、保証面２ａが上面となって露出した状態になり、非保証面２ｂが下面となって保護フィルム３が貼り付いた状態になる。この場合、巻き外された保護フィルム３は、微粘着面３ａがガラスフィルム２から剥離した状態になり、弱粘着面３ｂが依然としてガラスフィルム２に貼り付いた状態になる。
【００６４】
以上、本発明の第１、第２実施形態について説明したが、本発明は、これらの実施形態に限定されるわけではなく、種々のバリエーションが可能である。以下、その具体例を述べる。
【００６５】
すなわち、以上の第１、第２実施形態では、巻始側リーダー６及び巻終側リーダー７を、成形工程と切断工程とを実行した後の巻き取り工程で、ガラスフィルム２の始端２ｙ及び終端２ｚにそれぞれ連結するようにしたが、この巻き取り工程でそれらリーダー６、７の連結を行わなくてもよい。すなわち、例えば、この巻き取り工程で巻き取りが完了したガラスロール１を、その後にロールｔｏロール方式で再度巻き取るようにし、この再度の巻き取り工程で、ガラスフィルム２の始端２ｙ及び終端２ｚにそれらのリーダー６、７をそれぞれ連結するようにしてもよい。
【００６６】
なお、上記の巻始側リーダー６及び／または巻終側リーダー７は、保護フィルム３に重ねられていなくてもよく、さらに、上記の巻始側リーダー６及び／または巻終側リーダー７は、設けられていなくてもよい。
【００６７】
また、以上の第１、第２実施形態では、成形工程と切断工程とを実行した後の巻き取り工程で、両面が粘着面３ａ、３ｂとされた保護フィルム３にガラスフィルム２を重ねてロール状に巻き取ることで、本発明に係るガラスロール１を得るようにしたが、それ以外の時期に本発明に係るガラスロール１を得るようにしてもよい。すなわち、例えば、この巻き取り工程では、両面が粘着面とされた保護フィルム３を使用せずにガラスロールを製作し、この製作したガラスロールを、その後にロールｔｏロール方式で再度巻き取りを行う際に、両面が粘着面３ａ、３ｂとされた保護フィルム３を使用して本発明に係るガラスロール１を得るようにしてもよい。
【００６８】
さらに、以上の第１、第２実施形態では、保護フィルム３の両粘着面３ａ、３ｂの粘着力の大きさを異ならせたが、この両粘着面３ａ、３ｂの粘着力の大きさは、同一であってもよい。
【００６９】
また、以上の第１、第２実施形態では、保護フィルム３のガラスフィルム２との重ね合わせ位置２０が、ガラスロール１の巻き取り工程の実施位置に存在しているが、この重ね合わせ位置２０は、ガラスロール１の巻き取り工程の実施位置よりも上流側に存在していてもよい。
【００７０】
さらに、以上の第１、第２実施形態に係るガラスロール１は、保護フィルム３をガラスフィルム２の片面にのみ重ねてロール状に巻き取ったものであるため、保護フィルム３は一層構造となっている。これに限らず、本発明は、保護フィルムをガラスフィルムの両面にそれぞれ重ねてロール状に巻き取ることで、保護フィルムを二層構造としてもよい。この場合には、二層構造の保護フィルムの層間は貼り付いた状態となり、その二層構造の保護フィルムの両面（両表面）は粘着面であることを要する。
【符号の説明】
【００７１】
１    ガラスロール
２    ガラスフィルム
２ａ  ガラスフィルムの保証面
２ｂ  ガラスフィルムの非保証面
３    保護フィルム
３ａ  微粘着面（粘着力が小さい方の粘着面）
３ｂ  弱粘着面（粘着力が大きいい方の粘着面）
４    巻芯
５    ローラ（フリーローラ）
６    巻始側リーダー
７    巻終側リーダー
２０  重ね合わせ位置
【図１】
2017043366.tif 000003
【図２】
2017043366.tif 000004
【図３】
2017043366.tif 000005
【図４】
2017043366.tif 000006
【図５】
2017043366.tif 000007
【図６】
2017043366.tif 000008
【図７】
2017043366.tif 000009
【図８】
2017043366.tif 000010
【図９】
2017043366.tif 000011
【図１０】
2017043366.tif 000012